(57)【要約】【課題】保温のような長時間行う動作の場合は、金型部品の完成具合などによって乾燥しすぎる、あるいは露が多量に発生するといったように性能が大きく左右され、製品の出来上がりにおいてマイクロコンピュータの保温動作プログラムを変更したいが製品日程上、プログラム変更が困難な場合があるといった課題があった。【解決手段】第一の保温制御変更手段３０によって基板３１に実装された抵抗の有無によって保温時の制御方法を変化させることにより、製品の出来上がりによって保温性能を調整することが可能になるものである。【選択図】図１
2010094255.tif 000002
【特許請求の範囲】
【請求項１】
本体内部に設置され調理物を入れる内鍋と、内鍋の上部にある蓋と、前記内鍋を加熱する加熱手段と、前記加熱手段を駆動する駆動手段と、前記調理物の温度を検知する温度検知手段と、時間を計時する計時手段と、前記温度検知手段からの入力や前記計時手段により前記駆動手段を制御して炊飯や保温の動作を制御する制御手段と、複数の表示を行う表示手段と、炊飯や保温の開始や停止などを操作入力する入力手段と、本体あるいは蓋に設置されている制御基板と、前記制御基板に実装された抵抗の有無によって保温時の制御方法を変化させる第一の保温制御変更手段を有するジャー炊飯器。
【請求項２】
隠しモードでどの保温制御が選択されているかを表示手段に表示する保温制御表示手段を有する請求項１記載のジャー炊飯器。
【請求項３】
リセット解除後にのみ第一の保温制御変更手段への入力を行うこととして常時は入力を許可しない第一の入力許可手段を有する請求項１または２記載のジャー炊飯器。
【請求項４】
停電復帰時のみ第一の保温制御変更手段への入力を行うことして常時は入力を許可しない第二の入力許可手段を有する請求項１〜３のいずれか１項に記載のジャー炊飯器。
【請求項５】
入力手段からの入力によって第一の保温制御変更手段への入力を行うこととして常時は入力を許可しない第三の入力許可手段を有する請求項１〜４のいずれか１項に記載のジャー炊飯器。
【請求項６】
第一の保温制御変更手段の代わりに入力手段からの入力によって保温時の制御方法を変化させる第二の保温制御変更手段に置き換えた請求項１記載のジャー炊飯器。
【発明の詳細な説明】
【技術分野】
【０００１】
本発明は、ジャー炊飯器に関するものである。
【背景技術】
【０００２】
従来、ジャー炊飯器においては、一つのマイクロコンピュータ（以下、マイコン）に複数の機種のプログラムを入れて、それを切り換えて使用することによって、一つのマイコンを複数の機種に使用するといったことを可能にしていた。
【０００３】
図１０は従来のジャー炊飯器を示す回路図である。以下、図１０に基づき説明を行う。底ヒータ１、蓋ヒータ２によって調理物を加熱する。前記底ヒータ１はリレー３で、蓋ヒータ２はリレー４によって通電が制御される。リレー３はリレー駆動手段５によって駆動され、リレー４はリレー駆動手段６によって駆動される。７は表示手段、８は炊飯や保温の設定、開始、取消などを行う入力手段である。９は制御手段であるマイコンであり、炊飯や保温の制御を行っている。１０は機種切換手段であり、ここを電源に接続するか否かで変わる入力によって、マイコン９が複数持っている機種プログラムを変更するものである。
【特許文献１】特開平２−１９３６１２号公報
【発明の開示】
【発明が解決しようとする課題】
【０００４】
しかしながら、複数の機種ではなく、特に保温のような長時間行う動作の場合は、金型部品の完成具合などによって乾燥しすぎる、あるいは露が多量に発生するといったように性能が大きく左右され、製品の出来上がりにおいてマイコンの保温動作を変更したいといった要望もあり、このような要望においては異なる機種の情報が入っている従来例では対応できないといった課題があった。
【課題を解決するための手段】
【０００５】
本発明は前記従来の課題を解決するもので、制御基板に実装された抵抗の有無によって保温時の制御方法を変化させることにより、製品の出来上がりによって保温性能を調整することが可能になるものである。
【発明の効果】
【０００６】
本発明のジャー炊飯器は、製品の出来上がりによって保温性能を調整でき、保温性能のよいジャー炊飯器を得ることができるものである。
【発明を実施するための最良の形態】
【０００７】
第一の発明は、本体内部に設置され調理物を入れる内鍋と、内鍋の上部にある蓋と、前記内鍋を加熱する加熱手段と、前記加熱手段を駆動する駆動手段と、前記調理物の温度を検知する温度検知手段と、時間を計時する計時手段と、前記温度検知手段からの入力や前記計時手段により前記駆動手段を制御して炊飯や保温の動作を制御する制御手段と、複数の表示を行う表示手段と、炊飯や保温の開始や停止などを操作入力する入力手段と、本体あるいは蓋に設置されている制御基板と、前記制御基板に実装された抵抗の有無によって保温時の制御方法を変化させる第一の保温制御変更手段を有するものであり、製品の出来上がりの差異による保温性能の変化に対して、量産後でも実装された抵抗を切り換えることによって保温性能の調整が容易に可能になるものである。
【０００８】
第二の発明は第一の発明に隠しモードでどの保温制御が選択されているかを表示手段に
表示する保温制御表示手段を付加するものであり、表示手段に表示されることにより、製品を分解して制御基板を見なくても、どの保温制御が選択されているかを確認することが容易になるものである。
【０００９】
第三の発明は、第一の発明にリセット解除後にのみ第一の保温制御変更手段への入力を行うこととして常時は入力を許可しない第一の入力許可手段を付加したものであり、リセット解除後にのみ保温制御の設定を変化させることにより、お客様の使用時にノイズなどで設定が変わることがなくなるものである。
【００１０】
第四の発明は、第一の発明に停電復帰時のみ第一の保温制御変更手段への入力を行うことして常時は入力を許可しない第二の入力許可手段を付加したものであり、停電復帰時のみ保温制御の設定を変化させることにより、お客様の使用時にノイズなどで設定が変わる可能性が低減させるものである。
【００１１】
第五の発明は、第一の発明に入力手段からの入力によって第一の保温制御変更手段への入力を行うこととして、常時は入力を許可しない第三の入力許可手段を付加するものであり、特殊な入力によってのみ保温制御の切換入力を可能にし、お客様の使用時にノイズなどによって設定が変わることがなくなるものである。
【００１２】
第六の発明は、第一の発明において第一の保温制御変更手段の代わりに入力手段からの入力によって保温時の制御方法を変化させる第二の保温制御変更手段に置き換えたものであり、入力手段によっても保温制御方法を変化できるようし、保温性能の調整が容易にできるものである。
【００１３】
以下、本発明の実施の形態について、図面を参照しながら説明する。なお、この実施の形態によって本発明が限定されるものではない。
【００１４】
（実施の形態１）
図１は、本発明の第１の実施の形態におけるジャー炊飯器のブロック図を示すものである。図１において、内鍋２０はジャー炊飯器の本体２１内部に設置されている。内鍋２０の上部に蓋２２があり、調理中は閉じられている。内鍋２０内の調理物は加熱手段２３により加熱される。加熱手段２３は駆動手段２４によって駆動される。内鍋２０内の調理物の温度は温度検知手段２５によって検知される。炊飯や保温時の時間計測は計時手段２６にて行い、炊飯中や保温中の表示は表示手段２７にて行う。使用者が炊飯や保温に関する入力は入力手段２８にて行う。制御手段２９は前記温度検知手段２５、計時手段２６の入力に基づき、前記駆動手段２４を制御することで炊飯や保温の制御を行っている。第一の保温制御変更手段３０によって保温時の駆動手段２４の制御方法（通電比率や通電時間など）を変更することによって保温時のご飯の出来を微調整できるものである。なお、前記計時手段２６、表示手段２７、入力手段２８、制御基板２９、第一の保温制御変更手段３０は基板３１上に実装されているものである。
【００１５】
図２は本発明の第１の実施の形態のジャー炊飯器の断面図である。図２において、内鍋２０は本体２１内に設置されており、加熱コイル３２による誘導加熱（以下、ＩＨ）で加熱されるものである。蓋２２は本体２１の上面を開閉する形で設置されている。３３は操作基板であり、前記計時手段２６、表示手段２７、入力手段２８、制御基板２９、第一の保温制御変更手段３０等が実装されている。３４は加熱基板であり前記駆動手段等が実装されている。
【００１６】
図３は本発明の第１の実施の形態の回路図である。図３において、加熱コイル３２により、内鍋２０が誘導加熱される。商用電源３５から交流電源が供給され、ダイオードブリ
ッジ３６によって整流される。平滑コンデンサ３７、共振コンデンサ３８、スイッチング素子３９、加熱コイル３２よりなるインバータ回路により、ＩＨのための高周波電力を発生させる。インバータ回路はドライブＩＣ４０とＩＨ制御用ＩＣ４１によって駆動されている。サーミスタ４２によって内鍋２０の温度を検知する。マイコン４３はサーミスタ４２等の様々な入力をもとにＩＨ制御用ＩＣ４１を制御することにより内鍋２０を加熱し、炊飯を行っている。水晶発振子４４の発振によって、マイコン４３内のタイマをカウントして計時を行っている。４５は設定用のスイッチ、４６は液晶表示素子（以下、ＬＣＤ）である。抵抗４７、抵抗４８の有無でマイコン４３への入力信号を変化させることで、マイコン４３内部の保温制御用のデータを切り換えて、保温性能の調整を行うものである。
【００１７】
図４は本発明の第１の実施の形態の保温のシーケンス図である。図４において、ＩＨの通電比率は通常は上の欄の通りであるが、抵抗４７、抵抗４８の接続を変えることで、ＩＨの通電比率を下の欄の値に変化させることができる。よって量産前の最終試作などで保温性能に課題があった場合など、マイコン４３のプログラムを変更することなく容易に保温性能の調整を行うことができるものである。
【００１８】
なお、本実施の形態においては、保温の通電比率を変化させているが保温温度、各工程の時間なども変化させることができるのは言うまでもない。
【００１９】
（実施の形態２）
図５は本発明の第２の実施の形態のブロック図である。図５において、保温制御表示手段５０は表示手段２７にテストモードなどにおいて、パターン１を選択、あるいはパターン２を選択などと表示することによって、どのような保温制御を行っているのかといったことを、分解して製品から基板を取り出さなくても知ることができ、製品の性能評価、解析が容易になるものである。
【００２０】
（実施の形態３）
図６は本発明の第３の実施の形態のブロック図である。図６において、第一の入力許可手段６０はリセット解除後にのみ第一の保温制御変更手段３０の処理を許可して、通常動作時は第一の保温制御変更手段３０の処理を不許可にすることによって、通常時の製品使用時にノイズ等によって誤入力しても設定が変化しないようにすることが可能になり、耐ノイズ性を向上させることができるものである。
【００２１】
（実施の形態４）
図７は本発明の第４の実施の形態のブロック図である。図７において、第二の入力許可手段７０は停電復帰時にのみ第一の保温制御変更手段３０の処理を許可して、その他の場合は不許可にすることによって、製品使用時にノイズ等によって誤入力しても設定が変化しないようにすることが可能になり、耐ノイズ性を向上させることができるものである。
【００２２】
（実施の形態５）
図８は本発明の第５の実施の形態のブロック図である。図８において、第三の入力許可手段８０は入力手段２８からの特殊なスイッチ入力などの一定の入力があったときにのみ第一の保温制御変更手段３０の処理を許可して、その他の場合は不許可にすることによって、製品使用時にノイズ等によって誤入力しても設定が変化しないようにすることが可能になり、耐ノイズ性を向上させることができるものである。
【００２３】
（実施の形態６）
図９は本発明の第６の実施の形態のブロック図である。図９においては第１の実施の形態における第一の保温制御変更手段３０の代わりに入力手段２８からの入力によって保温時の制御方法を変化させる第二の保温制御変更手段６０に置き換えたものであり、基板３
１に実装される抵抗によらず、入力手段２８によっても保温制御方法を変化できるようし、保温性能の調整が容易にできるものである。
【産業上の利用可能性】
【００２４】
本発明は、製品開発時に保温性能の調整を容易に行うことができるジャー炊飯器として有用である。
【図面の簡単な説明】
【００２５】
【図１】本発明の実施の形態１におけるジャー炊飯器のブロック図
【図２】本発明の実施の形態１におけるジャー炊飯器の断面図
【図３】本発明の実施の形態１におけるジャー炊飯器の回路図
【図４】本発明の実施の形態１におけるジャー炊飯器の保温のシーケンス図
【図５】本発明の実施の形態２におけるジャー炊飯器のブロック図
【図６】本発明の実施の形態３におけるジャー炊飯器のブロック図
【図７】本発明の実施の形態４におけるジャー炊飯器のブロック図
【図８】本発明の実施の形態５におけるジャー炊飯器のブロック図
【図９】本発明の実施の形態６におけるジャー炊飯器のブロック図
【図１０】従来のジャー炊飯器のブロック図
【符号の説明】
【００２６】
２０  内鍋
２１  本体
２２  蓋
２３  加熱手段
２４  駆動手段
２５  温度検知手段
２６  計時手段
２７  表示手段
２８  入力手段
２９  制御手段
３０  第一の保温制御変更手段
３１  基板
【図１】
2010094255.tif 000003
【図３】
2010094255.tif 000004
【図５】
2010094255.tif 000005
【図６】
2010094255.tif 000006
【図７】
2010094255.tif 000007
【図８】
2010094255.tif 000008
【図９】
2010094255.tif 000009
【図２】
2010094255.tif 000010
【図４】
2010094255.tif 000011
【図１０】
2010094255.tif 000012